(57)【要約】【課題】高周波成分の帯域を下げることなく、聴感上のノイズを低減させ、スピーカから出力する音声の音質の劣化を防止することが可能な音声信号処理装置及び音声出力装置を提供することを目的とする。【解決手段】無線通信からの音声信号を処理し、スピーカへ音声を出力する音声信号処理装置であって、無線通信からの音声信号を受け取る音声信号受取部と、前記音声信号受取部が受け取った音声信号の高周波成分を、音声信号の低中周波成分よりも前記スピーカへ出力する時間を遅らせる遅延部と、を備えた。【選択図】図１
2010074230.tif 000002
【特許請求の範囲】
【請求項１】
無線通信からの音声信号を処理し、スピーカへ音声を出力する音声信号処理装置であって、
無線通信からの音声信号を受け取る音声信号受取部と、
前記音声信号受取部が受け取った音声信号の高周波成分を、音声信号の低中周波成分よりも前記スピーカへ出力する時間を遅らせる遅延部と、を備える、
音声信号処理装置。
【請求項２】
前記音声信号受取部が受け取った音声信号の低周波成分を少なくとも抽出するフィルタを更に備え、
前記遅延部は、前記音声信号受取部が受け取った音声信号の高周波成分を、前記フィルタによって抽出された低周波成分よりも前記スピーカへ出力する時間を遅らせる、
請求項１に記載の音声信号処理装置。
【請求項３】
前記音声信号受取部が受け取った音声信号の低周波成分を少なくとも調整する周波数特性調整部を更に備え、
前記遅延部は、前記音声信号受取部が受け取った音声信号の高周波成分を、前記周波数特性調整部によって調整された低周波成分よりも前記スピーカへ出力する時間を遅らせる、
請求項１又は２に記載の音声信号処理装置。
【請求項４】
請求項１から３の何れか一項に記載の音声信号処理装置と、
前記音声信号処理装置からの音声信号により音声を出力するスピーカと、を備える音声出力装置であって、
前記スピーカは、
前記音声信号の低周波成分を出力する低域用スピーカと、
前記音声信号の高周波成分を、前記遅延部を介して出力する高域用スピーカと、
を有する、
音声出力装置。
【請求項５】
前記音声出力装置は、車載器の一部として設けられる、
請求項４に記載の音声出力装置。
【発明の詳細な説明】
【技術分野】
【０００１】
本発明は、音声信号処理装置及び音声出力装置に関する。
【背景技術】
【０００２】
ユーザが車載に搭載されたカーオーディオでラジオを聴く際に、受信するラジオの電波が車の移動によって安定しないことから、ラジオの高周波ノイズがスピーカから出力してしまうことが度々あった。そこで、従来から、ラジオの高周波ノイズを低減させる為に、音声信号の高周波成分の帯域を下げることによって、高周波ノイズをカットしている。
【０００３】
また、音声信号の高周波成分と低中周波成分とが同時にユーザの耳に到達しないことによる聴感上の違和感を解決するために、高周波成分の出力を遅らせる遅延回路を設けることによって、高周波成分と低中周波成分のユーザの耳に到達する時間が同時になるように調整し、聴感上の違和感を解消することが可能な技術が開示されている（特許文献１から５を参照。）。また、フルレンジスピーカとウーハースピーカとの距離が大きい環境下において、遅延回路によってウーハースピーカがフルレンジスピーカよりも低域信号を遅らせて出力するスピーカが開発されている。該ウーハースピーカから出力した低域音は、ハース効果によって、フルレンジスピーカの方向から放音したように定位することが可能である（特許文献６を参照。）。
【特許文献１】特開平９−８４１７３号公報
【特許文献２】実開平５−５０８９９号公報
【特許文献３】特開２００２−３６９３００号公報
【特許文献４】実開平７−２０７９４号公報
【特許文献５】特開２００５−８００７９号公報
【特許文献６】特開平６−３１１５８２号公報
【発明の開示】
【発明が解決しようとする課題】
【０００４】
従来から、ラジオの高周波ノイズを低減させる為に、音声信号の高周波成分の帯域を下げることによって、高周波ノイズをカットしていたが、高周波成分の帯域を下げることにより、スピーカから出力する音質が劣化してしまうという問題があった。
【０００５】
そこで、本発明では、上記した問題に鑑み、高周波成分の帯域を下げることなく、聴感上のノイズを低減させ、スピーカから出力する音声の音質の劣化を防止することが可能な音声信号処理装置及び音声出力装置を提供することを目的とする。
【課題を解決するための手段】
【０００６】
本発明は、上述した課題を解決するために、ハース効果を利用して高周波成分に含まれる高周波ノイズをユーザの聴感上において低減させる点を工夫した。
【０００７】
詳細には、本発明に係る音声信号処理装置は、無線通信からの音声信号を処理し、スピーカへ音声を出力する音声信号処理装置であって、無線通信からの音声信号を受け取る音声信号受取部と、前記音声信号受取部が受け取った音声信号の高周波成分を、音声信号の低中周波成分よりも前記スピーカへ出力する時間を遅らせる遅延部と、を備える。
【０００８】
本発明に係る音声信号処理装置の音声信号受取部は、無線通信からの音声信号を受け取る。そして、遅延部が、音声信号受取部が受け取った音声信号の高周波成分を、音声信号の低中周波成分よりもスピーカへ出力する時間を遅らせる。その結果、ユーザの耳に音声
信号の低中周波成分が先に到達し、その後に高周波成分が到達する。従って、本発明に係る音声信号処理装置は、ハース効果によって高周波成分に含まれる高周波ノイズをユーザの聴感上において低減させることが可能である。また、本発明に係る音声信号処理装置は、高周波成分の帯域を下げる必要が無いため、スピーカから出力する音声の音質の劣化を防止することが可能である。
【０００９】
ここで本発明に係る音声信号処理装置は、前記音声信号受取部が受け取った音声信号の低周波成分を少なくとも抽出するフィルタを更に備え、前記遅延部は、前記音声信号受取部が受け取った音声信号の高周波成分を、前記フィルタによって抽出された低周波成分よりも前記スピーカへ出力する時間を遅らせてもよい。
【００１０】
高周波ノイズは高周波成分に含まれるため、本発明に係る音声信号処理装置は、フィルタが音声信号の低周波成分を少なくとも抽出することによって、高周波ノイズを含まない音声信号の低周波成分と、高周波ノイズを含む音声信号とに分けることが可能である。その結果、高周波ノイズを含まない音声信号の低周波成分を先にスピーカから出力し、その後に高周波ノイズを含んでいる音声信号をスピーカから出力することにより、ユーザの耳に高周波ノイズを含まない音声信号が先に到達し、その後に高周波ノイズを含んでいる音声信号が到達する。従って、本発明に係る音声信号処理装置は、ハース効果によって、高周波ノイズをユーザの聴感上において確実に低減させることが可能である。尚、フィルタは、音声信号の低周波成分だけではなく高周波成分の両方を取りだしてもよい。音声信号の低周波成分と高周波成分との両方を抽出することによって、遅延部が、高周波ノイズを含む高周波成分を、高周波ノイズを含まない低周波成分よりも確実にスピーカから出力する時間を遅らせることが可能である。その結果、高周波ノイズをユーザの聴感上においてより確実に低減させることが可能である。
【００１１】
更に、本発明に係る音声信号処理装置は、前記音声信号受取部が受け取った音声信号の低周波成分を少なくとも調整する周波数特性調整部を更に備え、前記遅延部は、前記音声信号受取部が受け取った音声信号の高周波成分を、前記周波数特性調整部によって調整された低周波成分よりも前記スピーカへ出力する時間を遅らせてもよい。
【００１２】
本発明に係る音声信号処理装置は、周波数特性調整部が音声信号の低周波成分を少なくとも調整することによって、低周波成分の音像を明確にし、高周波ノイズを含まない音声信号の低周波成分と、高周波ノイズを含む音声信号とに分けることが可能である。その結果、高周波ノイズを含まない音声信号の低周波成分をスピーカから先に出力し、その後に高周波ノイズを含んでいる音声信号をスピーカから出力することにより、ユーザの耳に高周波ノイズを含まない音声信号が先に到達し、その後に高周波ノイズを含んでいる音声信号が到達する。従って、本発明に係る音声信号処理装置は、ハース効果によって、高周波ノイズをユーザの聴感上において確実に低減させることが可能である。尚、周波数特性調整部は、音声信号の低周波成分だけではなく高周波成分の両方を調整してもよい。音声信号の低周波成分と高周波成分との両方を調整することによって、音声信号の低周波成分と高周波成分の両方の音像を明確にし、確実に音声信号の低周波成分と高周波成分とを分けることが可能である。その結果、遅延部が、高周波ノイズを含む高周波成分を、高周波ノイズを含まない低周波成分よりも確実に出力する時間を遅らせ、ハース効果によって、高周波ノイズをユーザの聴感上においてより確実に低減させることが可能である。
【００１３】
ここで本発明に係る音声出力装置は、上述した音声信号処理装置と、前記音声信号処理装置からの音声信号により音声を出力するスピーカと、を備える音声出力装置であって、前記スピーカは、前記音声信号の低周波成分を出力する低域用スピーカと、前記音声信号の高周波成分を、前記遅延部を介して出力する高域用スピーカと、を有してもよい。
【００１４】
本発明に係る音声出力装置は、低域用スピーカと高域用スピーカを有することによって、高周波ノイズを含まない音声信号の低周波成分と、高周波ノイズを含む音声信号の高周波成分とを分けてスピーカから出力することが可能である。更に、高域用スピーカが遅延部を介して音声信号の高周波成分を出力することによって、高域用スピーカから出力される音声信号の高周波成分を、低域用スピーカから出力される音声信号の低周波成分よりも出力時間を遅くすることが可能である。その結果、高周波ノイズを含まない音声信号の低周波成分をスピーカから先に出力し、その後に高周波ノイズを含んでいる音声信号をスピーカから出力することにより、ユーザの耳に高周波ノイズを含まない音声信号が先に到達し、その後に高周波ノイズを含んでいる音声信号が到達する。従って、本発明に係る音声信号処理装置は、ハース効果によって、高周波ノイズをユーザの聴感上において確実に低減させ、スピーカから出力する音声の音質の劣化を防止することが可能である。
【００１５】
また、本発明に係る音声出力装置は、車載器の一部として設けられてもよい。受信する無線通信の電波が車の移動によって安定せず、無線通信の高周波ノイズがスピーカから出力してしまう場合であっても、本発明に係る音声出力装置が車載器の一部として設けられることにより、ユーザの耳に高周波ノイズを含まない音声信号を先に到達させ、その後に高周波ノイズを含んでいる音声信号を到達させることが可能である。その結果、本発明に係る音声出力装置は、ハース効果によって、高周波ノイズをユーザの聴感上において確実に低減させ、スピーカから出力する音声の音質の劣化を防止することが可能である。
【発明の効果】
【００１６】
本発明によれば、高周波成分の帯域を下げることなく、聴感上のノイズを低減させ、スピーカから出力する音声の音質の劣化を防止することが可能な音声信号処理装置及び音声出力装置を提供することが可能である。
【発明を実施するための最良の形態】
【００１７】
ここで、本発明に係る音声出力装置１と音声信号処理装置２の実施の形態について図面に基づいて説明する。以下に示す実施例は例示であり、本発明はこれらに限定されるものではない。
【実施例１】
【００１８】
図１は、本発明の実施例１の音声出力装置１における音声信号処理装置２が、周波数特性調整部２３とフィルタ２４を備えた機能ブロック図である。以下、具体的に本発明の実施例１に係る音声出力装置１の各構成について図１を基に説明する。尚、本発明の本実施例１に係る音声出力装置１は、車載器の一部として設けられるものとする。
【００１９】
音声信号処理装置２は、無線通信からの音声信号を処理し、スピーカ４へ音声を出力する装置である。尚、実施例１における無線通信は、例えば、ＡＭラジオやＦＭラジオである。以下、本実施例１の無線通信はラジオとして説明するが、無線通信はラジオに限定されるものではない。音声信号処理装置２は、音声信号受取部２１と、周波数特性調整部２３と、フィルタ２４と、遅延部２５を有する。以下、各々の構成について説明する。
【００２０】
音声信号受取部２１は、アンテナ５が受信したラジオからの音声信号を受け取る。音声信号受取部２１が受け取った音声信号は、低周波成分から高周波成分まで幅広い周波数を持った信号である。また、音声出力装置１が車載器の一部として設けられるため、アンテナ５が受信するラジオの電波が車の移動によって安定せず、高周波ノイズを含んでしまう。その結果、音声信号受取部２１は、高周波ノイズを含んだ音声信号を受け取る。
【００２１】
周波数特性調整部２３は、音声信号受取部２１が受け取った音声信号の周波数特性を調整する。周波数特性調整部２３は、例えば、音質を周波数帯域ごとに調整するイコライザ
（ＥＱ）であり、本実施例１では、高周波成分を調整するイコライザ２３１と、低周波成分を調整するイコライザ２３２とを有する。高周波成分を調整するイコライザ２３１は、高周波成分の音像を明確にする。一方、低周波成分を調整するイコライザ２３２は、低周波成分の音像を明確にする。その結果、音声信号処理装置２は、低周波成分と高周波成分とを確実に分けることが可能である。尚、周波数特性調整部２３は、音声信号受取部２１が受け取った音声信号の低周波成分を少なくとも調整すればよい。つまり、周波数特性調整部２３が低周波成分を調整することによって、低周波成分の音像を明確にし、高周波ノイズを含まない音声信号と、高周波ノイズを含む音声信号とに分けることが可能である。
【００２２】
フィルタ２４は、ハイパスフィルタ（ＨＰＦ）２４１とローパスフィルタ（ＬＰＦ）２４２とを有する。ハイパスフィルタ２４１は、イコライザ２３１によって調整された高周波成分を含む音声信号の２ｋＨｚ以上の高周波成分を抽出する。一方、ローパスフィルタ２４２は、イコライザ２３２によって調整された低周波成分を含む音声信号の８００Ｈｚ以下の低周波成分を抽出する。従って、本発明の実施例１に係る音声信号処理装置２は、ハイパスフィルタ２４１とローパスフィルタ２４２とを有することにより、低周波成分と高周波成分とを確実に分けることが可能である。尚、フィルタ２４は、少なくとも音声信号の低周波成分を抽出すればよい。つまり、フィルタ２４が音声信号の低周波成分を抽出することによって、高周波ノイズを含まない音声信号と、高周波ノイズを含む音声信号とに分けることが可能である。
【００２３】
遅延部２５は、ハイパスフィルタ２４１によって抽出された２ｋＨｚ以上の高周波成分を、ローパスフィルタ２４２によって抽出された８００Ｈｚ以下の低周波成分よりも、スピーカ４からの出力を遅らせる。その結果、本発明の実施例１に係る音声出力装置１は、ユーザの耳に高周波ノイズを含まない音声信号の低周波成分を先に到達させ、その後に高周波ノイズを含んでいる音声信号高周波成分を到達させることが可能である。遅延部２５による遅延時間は、ユーザとスピーカ４との距離によって決定されるが、ハース効果が得られる５ｍｓから２０ｍｓの間で設定する。本実施例１では、遅延部２５による遅延時間は８ｍｓと設定する。
【００２４】
アンプ（ＡＭＰ）３１は、ハイパスフィルタ２４１から遅延部２５を介して送られてくる音声信号を増幅する。アンプ（ＡＭＰ）３２は、ローパスフィルタ２４２から送られてくる音声信号を増幅する。尚、本発明の実施例１に係る音声出力装置１のアンプ３１、３２は、音声信号処理装置２内に設置されてもよいし、車載に搭載されたオーディオ機器に設けられたアンプでもよい。
【００２５】
スピーカ４は、高域用スピーカ４１と低域用スピーカ４２とを有する。高域用スピーカ４１は、遅延部２５を介し、更にアンプ３１で増幅された音声信号の高周波成分を出力する。一方、低域用スピーカ４２は、アンプ３２で増幅された音声信号の低周波成分を出力する。尚、高域用スピーカ４１から出力される音声信号は、遅延部２５によって、低域用スピーカ４２から出力される音声信号よりも遅く出力される。従って、低域用スピーカ４２から出力される音声信号の方が、高域用スピーカ４１から出力される音声信号よりもユーザの耳に早く到達するため、ユーザは、ハース効果によって、高域用スピーカ４１から出力される音声信号よりも、低域用スピーカ４２から出力される音声信号を優先的に感知する。つまり、高周波ノイズを含む音声信号よりも、高周波ノイズを含まない音声信号を優先的に感知するため、高周波成分の帯域を下げることなく、聴感上のノイズを低減させ、スピーカ４から出力する音声の音質の劣化を防止することが可能な音声出力装置１及び音声信号処理装置２を提供することが可能である。
【００２６】
本発明の実施例１における音声出力装置１の機能ブロック図は、図１に示す以外にも複数挙げられる。図２は、本発明の実施例１の音声出力装置１における音声信号処理装置２
が、フィルタ２４は備えず、周波数特性調整部２３を備えた機能ブロック図である。図３は、本発明の実施例１の音声出力装置１における音声信号処理装置２が、周波数特性調整部２３を備えず、フィルタ２４を備えた機能ブロック図である。
【００２７】
本発明の実施例１における音声出力装置１の音声信号処理装置２は、図２に示すように、周波数特性調整部２３のイコライザ２３１から、ハイパスフィルタ２４１を介さずに遅延部２５へ音声信号を送信し、周波数特性調整部２３のイコライザ２３２から、ローパスフィルタ２４２を介さずにアンプ３２へ音声信号を送信してもよい。これは、イコライザ２３１が高周波成分を調整し、高周波成分の音像を明確にし、イコライザ２３１が低周波成分を調整し、低周波成分の音像を明確にすることにより、高周波成分と低周波成分とを分けることが可能であるからである。
【００２８】
更に、本発明の実施例１における音声出力装置１の音声信号処理装置２は、図３に示すように、音声信号受取部２１が受け取った音声信号を、音声信号受取部２１から、周波数特性調整部２３のイコライザ２３１を介さずにフィルタ２４のハイパスフィルタ２４１へ送信し、音声信号受取部２１から、周波数特性調整部２３のイコライザ２３２を介さずにフィルタ２４のローパスフィルタ２４２へ送信してもよい。これは、ハイパスフィルタ２４１が、２ｋＨｚ以上の音声信号の高周波成分を抽出し、ローパスフィルタ２４２が、８００Ｈｚ以下の音声信号の低周波成分を抽出することにより、高周波成分と低周波成分とを分けることが可能であるからである。
【００２９】
尚、本発明の実施例１における音声信号処理装置２は、周波数特性調整部２３とフィルタ２４を両方備えた方が、確実に音声信号の高周波成分と低周波成分とに分けることが可能である。その結果、音声出力装置１は、高周波ノイズを含む高周波成分を、高周波ノイズを含まない低周波成分よりも遅れてスピーカ４から出力することによって、ユーザの聴感上のノイズをより減少させることが可能である。
【００３０】
図４は、実施例１の音声出力装置１における制御フロー図である。図１に示す機能ブロック図を参照しながら、以下具体的に音声出力装置１について説明する。
【００３１】
ステップＳ０１では、音声信号受取部２１が、アンテナ５が受信したラジオの音声信号を受け取る。音声信号は、低周波成分から高周波ノイズを含んだ高周波成分まで幅広い周波数を持った信号である。音声信号の受け取りが完了するとステップＳ０２へ進む。
【００３２】
ステップＳ０２では、周波数特性調整部２３のイコライザ２３１が音声信号受取部２１で受け取った音声信号の高周波成分の周波数特性を調整し、周波数特性調整部２３のイコライザ２３２が音声信号受取部２１で受け取った音声信号の低周波成分の周波数特性を調整する。周波数特性調整部２３が音声信号の周波数特性を調整することにより、高周波成分と低周波成分とを確実に分けることが可能である。音声信号の周波数特性の調整が完了するとステップＳ０３へ進む。
【００３３】
ステップＳ０３では、フィルタ２４のハイパーフィルタ２４１が音声信号の高周波成分を抽出し、フィルタ２４のローパスフィルタ２４２が音声信号の低周波成分を抽出する。本発明の実施例１に係る音声出力装置１のフィルタ２４が、ハイパスフィルタ２４１とローパスフィルタ２４２とを有することにより、高周波成分と低周波成分とを確実に分けることが可能である。高周波成分と低周波成分の抽出が完了するとステップＳ０４及びステップＳ０５へ進む。
【００３４】
ステップＳ０４では、音声信号の低周波成分をアンプ３２によって増幅し、低域用スピーカ４２から出力する。低域用スピーカ４２から出力された音声が、高域用スピーカ４１
から出力された音声よりも先にユーザの耳に到達する。
【００３５】
ステップＳ０５では、遅延部２５が、ハイパスフィルタ２４１によって抽出された２ｋＨｚ以上の高周波成分を、ローパスフィルタ２４２によって抽出された８００Ｈｚ以下の低周波成分よりも、スピーカ４からの出力を遅らせる。高周波成分の出力を低周波成分の出力よりも遅延させたらステップＳ０６へ進む。
【００３６】
ステップＳ０６では、遅延部２５において音声信号の低周波成分よりもスピーカ４からの出力が遅延された音声信号の高周波成分を、アンプ４１によって増幅し、高域用スピーカ４１から出力する。高域用スピーカ４１から出力された音声は、低域用スピーカ４２から出力された音声よりも遅れてユーザの耳に到達する。従って、本発明の実施例１における音声出力装置１は、ハース効果により、高周波ノイズを含む音声信号よりも、高周波ノイズを含まない音声信号を優先的に感知するため、高周波成分の帯域を下げることなく、聴感上のノイズを低減させ、スピーカ４から出力する音声の音質の劣化を防止することが可能である。
【実施例２】
【００３７】
本発明の実施例２の音声信号処理装置２は、音声信号を内部で分岐し合流することによって、一体機のようなシングルチャンネルであっても、実施例１の音声出力装置１と同様の作用効果を得ることが可能である。図５は、本発明の実施例２の音声出力装置１における音声信号処理装置２が、周波数特性調整部２３とフィルタ２４を備えた機能ブロック図である。以下、実施例１と異なる点を中心に、本発明の実施例２に係る音声出力装置１について説明する。
【００３８】
本発明の実施例２の音声信号処理装置２は、音声信号受取部２１と、周波数特性調整部２３と、フィルタ２４と、遅延部２５と、アンプ３とを有する。また、周波数特性調整部２３はイコライザ２３１、２３２を有し、フィルタ２４はハイパスフィルタ２４１とローパスフィルタ２４２を有する。各々の構成は実施例１と同様であるため、構成の説明を省略する。
【００３９】
音声信号受取部２１が受け取った音声信号は、図５に示すように、高周波成分を調整するイコライザ２３１と、低周波成分を調整するイコライザ２３２へ送信される。高周波成分を調整するイコライザ２３１に送信された音声信号は、高周波成分の音像が明確にされ、ハイパスフィルタ２４１へ送信される。ハイパスフィルタ２４１は、イコライザ２３１によって音像が明確にされた高周波成分から、２ｋＨｚ以上の高周波成分を抽出する。次に、ハイパスフィルタ２４１によって高周波成分が抽出された音声信号は、遅延部２５へ送信される。そして、遅延部２５へ送信された音声信号は、アンプ３へ送信される。
【００４０】
一方、音声信号受取部２１から、音声信号の低周波成分を調整するイコライザ２３２に送信された音声信号は、低周波成分の音像が明確にされ、ローパスフィルタ２４２へ送信される。ローパスフィルタ２４２は、イコライザ２３２によって調整された音声信号の低周波成分を含む音声信号から、８００Ｈｚ以下の低周波成分を抽出する。そして、ローパスフィルタ２４２によって低周波成分が抽出された音声信号は、アンプ３へ送信される。
【００４１】
以上により、本発明の実施例１に係る音声信号処理装置２は、ハイパスフィルタ２４１によって高周波成分を抽出し、遅延部２５を介した音声信号と、ローパスフィルタ２４２によって低周波成分を抽出した音声信号とが合流し、同じアンプ３によって、音声信号を増幅することが可能である。従って、本発明の実施例２に係る音声信号処理装置２は、音声信号を内部で分岐し合流することによって、一体機のようなシングルチャンネルを構成することが可能である。
【００４２】
また、アンプ３によって増幅された音声信号は、コンデンサ６を介して高域用スピーカ４１へ送信される音声信号と、コイル７を介して低域用スピーカ４２へ送信される音声信号とに分けられる。コンデンサ６を介して高域用スピーカ４１へ送信することによって、音声信号の低周波成分が高域用スピーカ４１へ送信されることによる高域用スピーカ４１の故障を防ぎ、高域用スピーカ４１から音声信号の高周波成分を確実に出力することが可能である。また、コイル７を介して低域用スピーカ４２へ送信する際に、コイル７が高周波成分を取り除くことによって、低域用スピーカ４２から音声信号の低周波成分を確実に出力することが可能である。
【００４３】
本発明の実施例２における音声出力装置１の機能ブロック図は、図５に示す以外にも複数挙げられる。図６は、本発明の実施例２の音声出力装置１における音声信号処理装置２が、フィルタ２４は備えず、周波数特性調整部２３を備えた機能ブロック図である。図７は、本発明の実施例２の音声出力装置１における音声信号処理装置２が、周波数特性調整部２３を備えず、フィルタ２４を備えた機能ブロック図である。
【００４４】
本発明の実施例２における音声出力装置１の音声信号処理装置２は、図６に示すように、周波数特性調整部２３のイコライザ２３１から、ハイパスフィルタ２４１を介さずに遅延部２５を介した音声信号と、ローパスフィルタ２４２を介さず周波数特性調整部２３のイコライザ２３２からの音声信号とを合流させてもよい。これは、イコライザ２３１が高周波成分を調整し、高周波成分の音像を明確にし、イコライザ２３１が低周波成分を調整し、低周波成分の音像を明確にすることにより、高周波成分と低周波成分とを分けることが可能であるからである。
【００４５】
更に、本発明の実施例２における音声出力装置１の音声信号処理装置２は、図７に示すように、音声信号受取部２１が受け取った音声信号を、周波数特性調整部２３のイコライザ２３１を介さずに、フィルタ２４のハイパスフィルタ２４１を介した音声信号と、周波数特性調整部２３のイコライザ２３２を介さずに、フィルタ２４のローパスフィルタ２４２を介した音声信号とを合流させてもよい。これは、ハイパスフィルタ２４１が、２ｋＨｚ以上の音声信号の高周波成分を抽出し、ローパスフィルタ２４２が、８００Ｈｚ以下の音声信号の低周波成分を抽出することにより、高周波成分と低周波成分とを分けることが可能である。
【００４６】
尚、本発明の実施例２における音声信号処理装置２は、周波数特性調整部２３とフィルタ２４を両方備えた方が、確実に音声信号の高周波成分と低周波成分とに分けることが可能である。その結果、音声出力装置２は、高周波ノイズを含む高周波成分を、高周波ノイズを含まない低周波成分よりも遅れてスピーカ４から出力することによって、ユーザの聴感上のノイズをより減少させることが可能である。また、本発明の実施例２の音声出力装置１における制御フローは、本発明の実施例１の音声出力装置１における制御フロー図である図２と同様であるため、制御フローの説明を省略する。
【００４７】
以上により、本発明の実施例２に係る音声出力装置１は、一体機のようなシングルチャンネルである音声信号処理装置２によって、ラジオからの音声信号を処理し、低域用スピーカ４２から出力される音声信号の方が、高域用スピーカ４１から出力される音声信号よりもユーザの耳に早く到達させることが可能である。その結果、ユーザは、ハース効果によって、高域用スピーカ４１から出力される音声信号よりも、低域用スピーカ４２から出力される音声信号を優先的に感知することが可能である。従って、本発明の実施例２に係る音声出力装置１は、高周波ノイズを含む音声信号よりも、高周波ノイズを含まない音声信号を優先的に感知させるため、高周波成分の帯域を下げることなく、ユーザの聴感上のノイズを低減させ、スピーカ４から出力する音声の音質の劣化を防止することが可能であ
る。
【図面の簡単な説明】
【００４８】
【図１】本発明の実施例１の音声出力装置における音声信号処理装置が、周波数特性調整部とフィルタとを備えた機能ブロック図である。
【図２】本発明の実施例１の音声出力装置における音声信号処理装置が、フィルタは備えず、周波数特性調整部を備えた機能ブロック図である。
【図３】本発明の実施例１の音声出力装置における音声信号処理装置が、周波数特性調整部を備えず、フィルタを備えた機能ブロック図である。
【図４】本発明の実施例１の音声出力装置の制御フロー図である。
【図５】本発明の実施例２の音声出力装置における音声信号処理装置が、周波数特性調整部とフィルタとを備えた機能ブロック図である。
【図６】本発明の実施例２の音声出力装置における音声信号処理装置が、フィルタは備えず、周波数特性調整部を備えた機能ブロック図である。
【図７】本発明の実施例２の音声出力装置における音声信号処理装置が、周波数特性調整部を備えず、フィルタを備えた機能ブロック図である。
【符号の説明】
【００４９】
１・・・音声出力装置
２・・・音声信号処理装置
２１・・・音声信号受取部
２３・・・周波数特性調整部
２３１、２３２・・・イコライザ
２４・・・フィルタ
２４１・・・ハイパスフィルタ
２４２・・・ローパスフィルタ
２５・・・遅延部
３１、３２・・・アンプ
４・・・スピーカ
４１・・・高域用スピーカ
４２・・・低域用スピーカ
５・・・アンテナ
６・・・コンデンサ
７・・・コイル
【図１】
2010074230.tif 000003
【図２】
2010074230.tif 000004
【図３】
2010074230.tif 000005
【図４】
2010074230.tif 000006
【図５】
2010074230.tif 000007
【図６】
2010074230.tif 000008
【図７】
2010074230.tif 000009